(57)【要約】【課題】 ソフトウェア制御による変速再生を可能にする。【解決手段】 情報記録装置は、論理セクタをアクセス単位としてオーディオ及び／又はビジュアルデジタルデータストリームを記録するＨＤＤを備え、フレーム単位の整数倍で固定長となるオーディオ及び／又はビジュアルデジタルデータストリームを、該固定長のデータを記録データ単位とし、該記録データ単位を全て記録できる最小数の上記論理セクタに上記記録データ単位を割り当てるとともに、あまった部分にはダミーデータを充填するようなＡＶマイコンシステム１０を有している。【選択図】        図１
2007109392.tif 000002
【特許請求の範囲】
【請求項１】
論理セクタをアクセス単位とする記録媒体にデータを記録する情報記録装置であって、
動画像信号が入力される動画像信号入力部と、
上記動画像信号入力部より入力された上記動画像信号に対して圧縮符号化処理を施し、動画像データを出力する圧縮符号化手段と、
上記圧縮符号化手段により出力される上記動画像データを、上記記録媒体に記録するように制御する制御手段とを有し、
上記圧縮符号化手段は、符号化処理した上記動画像データにおいて、Ｉフレーム及び/又は複数のフレームからなるＧＯＰのデータ最大値が上記記録媒体の論理セクタの整数倍のデータ量となるように、上記動画像信号に対して所定の圧縮率で圧縮符号化処理を施すことを特徴とする情報記録装置。
【請求項２】
記録データ単位に対する論理セクタの先頭からデータを書き込むことを特徴とする請求項１記載の情報記録装置。
【請求項３】
上記圧縮符号化手段は、ＭＰＥＧ規格に準拠することを特徴とする請求項１記載の情報記録装置。
【請求項４】
上記圧縮符号化手段は、上記動画像信号に対して複数の所定の圧縮率で圧縮符号化処理を施すことを特徴とする請求項１記載の情報記録装置。
【請求項５】
論理セクタをアクセス単位とする記録媒体にデータを記録する情報記録方法であって、
動画像信号を入力し、
入力された上記動画像信号に対して、Ｉフレーム及び/又は複数のフレームからなるＧＯＰのデータ最大値が上記記録媒体の論理セクタの整数倍のデータ量となるように、所定の圧縮率で圧縮符号化処理を施し、
上記圧縮符号化処理が施された動画像データを、上記記録媒体に記録する
ことを特徴とする情報記録方法。
【請求項６】
論理セクタがアクセス単位とされる記録媒体であって、
動画像信号に対して、Ｉフレーム及び/又は複数のフレームからなるＧＯＰのデータ最大値が上記論理セクタの整数倍のデータ量となるように、所定の圧縮率で圧縮符号化処理を施した動画像データが、上記論理セクタに記録データとして割り当てて記録されることを特徴とする記録媒体。
【発明の詳細な説明】
【技術分野】
【０００１】
この発明は、ハードディスクにオーディオ及び／又はビジュアルデジタルデータストリームを記録する情報記録装置及び方法並びに記録媒体に関する。
【背景技術】
【０００２】
従来、ハードディスクドライブ（Hard Disc Drive; HDD）は、パーソナルコンピュータ（PC）のペリフェラル（周辺機器）として発展してきた歴史から、いわゆる離散テキストデータを信頼性よく、できるだけ速くランダムにアクセスする方向での技術向上がなされてきた。
【０００３】
また、近年、マルチメディア等の発達に従い、いわゆるデジタルビデオ（ＤＶ方式ＳＤ）規格（転送レート２８．６Ｍｂｐｓ）やＭＰＥＧ２（Moving Pictures Experts Group Phase 2 ）規格（最大転送レート１５Ｍｂｐｓ）のようなオーディオビジュアル（Audio Visual; AV）デジタルデータストリームとＡＶデジタルストリーム以外のランダムアクセスデータを、ディスク上で自由自在に扱うことができるいわゆるＡＶ ＨＤＤシステムを廉価に構成し得るＨＤＤ及びホストシステムが必要となってきている。
【０００４】
【特許文献１】特開平０４−３０７４７２号公報
【特許文献２】特開平０９−２００７０１号公報
【特許文献３】特開平０８−１４００４３号公報
【特許文献４】特開平０９−１１４５９７号公報
【発明の開示】
【発明が解決しようとする課題】
【０００５】
従来、ＡＶデジタルデータストリーム、特に圧縮ストリームをＨＤＤに記録する場合は変速再生を考慮に入れた情報記録装置は存在しなかった。
【０００６】
そのため、ＨＤＤの論理セクタ単位でデータのリード／ライトを行うという性質を利用し、ＨＤＤにＡＶデジタルデータストリームを記録再生する場合に、ホスト側のアプリケーションソフトウェアのみで、容易に変速再生ができるようにデータの記録ができるように望まれていた。
【０００７】
この発明は、上述の実情に鑑みてなされるものであって、ＡＶデジタルデータストリーム等をＨＤＤに記録する際に変速再生に対応するような情報記録装置及び方法並びに記録媒体を提供することを目的とする。
【課題を解決するための手段】
【０００８】
上述の課題を解決するために、本発明は、動画像信号が入力される動画像信号入力部と、上記動画像信号入力部より入力された上記動画像信号に対して圧縮符号化処理を施し、動画像データを出力する圧縮符号化手段と、上記圧縮符号化手段により出力される上記動画像データを、上記記録媒体に記録するように制御する制御手段とを有し、上記圧縮符号化手段は、符号化処理した上記動画像データにおいて、Ｉフレーム及び/又は複数のフレームからなるＧＯＰのデータ最大値が上記記録媒体の論理セクタの整数倍のデータ量となるように、上記動画像信号に対して所定の圧縮率で圧縮符号化処理を施すことを特徴とする。
【０００９】
また、本発明は、論理セクタをアクセス単位とする記録媒体にデータを記録する情報記録方法であって、動画像信号を入力し、入力された上記動画像信号に対して、Ｉフレーム及び/又は複数のフレームからなるＧＯＰのデータ最大値が上記記録媒体の論理セクタの整数倍のデータ量となるように、所定の圧縮率で圧縮符号化処理を施し、上記圧縮符号化処理が施された動画像データを、上記記録媒体に記録することを特徴とする。
【００１０】
さらに、本発明は、論理セクタがアクセス単位とされる記録媒体であって、動画像信号に対して、Ｉフレーム及び/又は複数のフレームからなるＧＯＰのデータ最大値が上記論理セクタの整数倍のデータ量となるように、所定の圧縮率で圧縮符号化処理を施した動画像データが、上記論理セクタに記録データとして割り当てて記録されることを特徴とする。
【発明の効果】
【００１１】
本発明によれば、ホスト側から論理セクタ単位のリードコマンドを送るだけで所用のＡＶデジタルデータストリームを得ることができるようになるため、ＡＶデジタルデータストリーム再生におけるキュー／レビュー、スロー、スチル、ファーストサーチ、ファーストアクセス、ノンリニアエディティング等の変速再生を、ホスト側のアプリケーションソフトウェアの構築のみにより容易に実現することができる。
【発明を実施するための最良の形態】
【００１２】
以下、この発明に係る情報記録装置及び方法並びに記録媒体について図面を参照して説明する。
【００１３】
情報記録装置は、図１に示すように、撮像した被写体の映像をＤＶ信号として供給るＤＶビデオカメラ１と、このＤＶビデオカメラ１等から受け取ったＤＶ信号を処理するＡＶマイコンシステム１０と、このＡＶマイコンシステム１０のＲＩＳＣ ＣＰＵ３に対してモードの設定を命ずるモード設定コマンダ８と、上記ＤＶビデオカメラ１の映像をモニタするモニタ７とを有するディスクカメラシステムである。
【００１４】
上記ＤＶビデオカメラ１は、被写体をレンズやＣＣＤ等の光学系にて撮像して得た映像信号をエンコード／デコード部１ａにて符号化してＤＶ端子から出力するカメラである。
【００１５】
上記ＡＶマイコンシステム１０は、情報を伝達する共通バスであるホストバス４と、上記ＤＶビデオカメラ１とホストバス４との間の情報の伝送を媒介するインターフェイスバッファ２と、情報が記録されるＨＤＤ６と、上記ホストバス４と上記ＨＤＤ６との間の情報の伝送を媒介するいわゆるＡＴＡ（AT Attachment）アダプタ５とを有している。
【００１６】
上記ホストバス４は、このＡＶマイコンシステム１０の各部分の間での情報の伝送をなされるパラレルラインの伝送線である。
【００１７】
上記インターフェイスバッファ２は、上記ＤＶビデオカメラ１と上記ホストバス４間でオーディオ及び／又はビジュアルデジタルデータストリーム（以下、ＡＶデジタルデータストリームという。）の伝送の媒介をする。例えば、インターフェイスバッファ２は、ＡＶデジタルデータストリームの転送速度を変換したり、転送のタイミングを調整したりする。このインターフェイスバッファ２は、内部に２バンクＲＡＭ２ａを有している。この２バンクＲＡＭ２ａは、交互に切り替えられて情報の転送を調整する２個のＲＡＭから構成されている。
【００１８】
上記ＨＤＤ６は、入力されるＡＶデジタルデータストリームを記録する固定ディスク装置である。このＨＤＤ６における記録のフォーマットについては、後に詳細に説明する。上記ＡＴＡ（AT Attachment）アダプタ５は、上記ホストバス４と上記ＨＤＤ６との間に介在しＡＶデジタルデータストリームをホストバス４のパラレルデータと上記ＨＤＤ６のデータ形式のデータとの間の変換をするものである。
【００１９】
また、上記ＡＶマイコンシステム１０は、情報を集中して処理する中央処理部であるＲＩＳＣ ＣＰＵ３と、揮発性のメモリであるＲＡＭ１７と、不揮発性のメモリであるＲＯＭ９とを有している。
【００２０】
上記ＲＩＳＣ ＣＰＵ３は、上記ホストバス４に接続され、データ転送や上記ＨＤＤ６に対する制御等、このＡＶマイコンシステム１０における情報記録方法の一連の動作を制御する。この一連の動作は、例えば上記ＲＯＭ９に記録され、必要に応じて読み出されて実行される。ここで、“ＲＩＳＣ”とは、演算処理速度を向上させるためにＣＰＵを制御する基本的な命令を簡素化しその個数を少なくした縮小命令セットコンピュータをいう。
【００２１】
上記ＲＡＭ１７は、上記ホストバス４に接続され、データを一時的に記録される揮発性のメモリである。上記ＲＯＭ９は、上記ホストバス４に接続され、所定のデータを記録されている不揮発性のメモリである。このＲＯＭ９には、例えば、情報処理方法の一連の手順に係る制御コードが記録される。
【００２２】
上記モニタ７は、表示画面とスピーカ７ａとを有し、上記ＤＶビデオカメラ１にて取得した映像及び音声を出力するものである。このモニタ７には、上記ＤＶビデオカメラ１を介して上記ＡＶマイコンシステム１０に記録される、又は上記ＡＶマイコンシステム１０において再生される映像及び音声が出力される。
【００２３】
記録時の入力信号の流れを説明すると、まず、ＤＶビデオカメラ１によりビデオ電気信号に変換された映像信号は、ビデオ圧縮するエンコード／デコード部１ａにより、高能率符号化され、オーディオデータをマルチプレクスされ、ＤＶ方式で定義されるＤＩＦブロックからなるＡＶデジタルデータストリームが得られる。ＡＶデジタルデータストリームは、標準解像度のＳＤ（Standard Definition ）、高圧縮ＳＤ、高解像度テレビジョン受像器（High Definition Television; HDTV）に対応するＨＤ（High Definition ）の３つの仕様によりそれぞれ規格として定義されている。
【００２４】
ここで、上記ＳＤ仕様についてはデータストリームの１フレームが１１９．２ｋＢｙｔｅの固定長で圧縮される。また、上記高圧縮ＳＤ仕様についての１フレームは５９．６ｋＢｙｔｅであり、上記ＨＤ仕様についての１フレームは２３８．４ｋＢｙｔｅである。
【００２５】
このＡＶデジタルストリームは、インターフェイスバッファ２を介して、ＲＩＳＣ ＣＰＵ３が接続されているホストバス４に供給される。ホストバス４に供給されるＡＶデジタルデータストリームは、ＲＩＳＣ ＣＰＵ３のソフトウェアによりデータ転送制御され、ＡＴＡアダプタ５を介して、セクタ単位でＨＤＤ６にライト（書き込み;write）がなされる。
【００２６】
続いて、上記情報処理装置の備えるＨＤＤ６の構成について、図２を参照して説明する。
【００２７】
回転駆動部１２１は、スピンドルモータ１２１Ａとその回転速度を検出するセンサ１２１Ｂより構成され、磁気ディスク１２２（記憶手段）を回転させるようになされている。ヘッド部１２３は、磁気ディスク１２２に記録信号を書き込むとともに、磁気ディスク１２２に記録されている信号を読み出すようになされている。
【００２８】
記録再生信号処理回路１２４は、記録時、磁気ディスク１２２に書き込まれる記録信号に対して、チャンネルコーディング（記録符号化）を行い、記録再生時、磁気ディスク１２２より読み出された再生信号に対して、記録時とは逆の変換を行い、エラー検出及びエラー訂正処理を行うようになされている。ヘッド・アーム駆動制御回路１２５は、磁気ヘッドを磁気ディスク１２２の所定のトラック位置に移動させるように磁気ヘッドを支持するアームを制御する。回転スピンドル駆動制御回路１２６は、回転駆動部１２１を構成するスピンドルモータ１２１Ａの駆動制御を行うようになされている。
【００２９】
ディスクコントローラ１２７は、記録再生信号処理回路１２４、ヘッド・アーム駆動制御回路１２５、および回転スピンドル駆動制御回路１２６を制御するようになされており、ディスクコントローラ１２７を構成するディスクインターフェイス部１３１は、記録再生信号処理回路１２４、ヘッド・アーム駆動制御回路１２５、および回転スピンドル駆動制御回路１２６と、ディスクフォーマット制御部１３３および内部システムバスとの間のインターフェイス処理を行うようになされている。
【００３０】
ディスクフォーマット制御部１３３は、磁気ディスク１２２上のデータのアドレスマップを格納したアドレスマップ部１３３−１に従って、アドレスマップ制御を行うとともに、磁気ディスク１２２のフォーマット処理を行うようになされている。ディスクデータタイミング制御部１３２は、記録再生信号処理回路１２４に対して、回転速度に応じたクロック信号を供給するようになされている。データバス・内部システム・タイミング制御部１３４は、それ以外のディスクコントローラ１２７の各部にクロック信号を供給するようになされている。
【００３１】
マルチプレクス／デマルチプレクス回路１３８は、データＦＩＦＯ１３６を介して供給されたデータと、レジスタ１１４ａからのコマンドをマルチプレクスし、インターフェイス１１３を介してＡＴＡアダプタ５に供給したり、ＡＴＡアダプタ５を介して供給された外部からのデータを、データとレジスタ命令とに分離するようになされている。
【００３２】
データＦＩＦＯ１３６は、マルチプレクス／デマルチプレクス回路１３８より供給されたデータを順に記憶し、記憶した順番に内部システムバス１３５に出力したり、内部システムバス１３５より供給されたデータを順に記憶し、マルチプレクス／デマルチプレクス回路１３８に供給するようになされている。レジスタ１１４ａは、マルチプレクス／デマルチプレクス回路１３８より受け取ったコマンドやステータス等を記憶し、内部システムバス１３５に出力したり、内部システムバス１３５より供給されたコマンドやステータス等を記憶し、マルチプレクス／デマルチプレクス回路１３８に供給するようになされている。
【００３３】
ＣＰＵ１４２は、ＲＯＭ１４１に記憶されている制御プログラムに従って各部を制御し、各種ディスクパラメータ、実行するコマンド、実行状態に応じて、データの記録／再生処理、駆動系の制御処理、ホストコンピュータとの間の通信処理を行うようになされている。ＲＡＭ１４０は、ＣＰＵ１４２が処理を行う上で必要とされるデータを記憶したり、その他の各種データを記憶するようになされている。
【００３４】
マルチプレクス／デマルチプレクス回路１３８は、インターフェイス１１３を介して外部からのデータとその記録命令が供給されたとき、データと記録命令とを分離して、データをデータＦＩＦＯ１３６に供給し、コマンドやステータス等をレジスタ１１４ａに供給するようになされている。また、インターフェイス１１３を介して外部からのデータの再生命令が供給されたとき、再生命令は、レジスタ１１４ａに供給するようになされている。リード・ライトホストインターフェイス１４３は、ホストとの間でのインターフェイス処理を行うようになされている。
【００３５】
続いて、上記情報記録装置の具体例について、図３を参照して説明する。この具体例においては、上記図１に示した情報記録装置におけるＡＶマイコンシステム１０のブロックがインターフェイスバッファボード１９とＲＩＳＣ ＣＰＵボード２０とに分離している。そして、これらインターフェイスバッファボード１９とＲＩＳＣ ＣＰＵボード２０との内部構成がより詳細に示されている。
【００３６】
上記インターフェイスボード１９は、ネットワークとのインターフェイスを行うネットワークインターフェイス１１と、データの転送を調整する２バンクＲＡＭ２ａとを有している。これらインターフェイスボード１９及びＲＩＳＣ ＣＰＵボード２０は、ホストバス４にて結ばれている。
【００３７】
上記ネットワークインターフェイス１１は、上記ＤＶビデオカメラ１等からのネットワークと上記２バンクＲＡＭ２ａとに接続され、上記ネットワークを介して入力するデータのインターフェイスを行う。上記２バンクＲＡＭ２ａは、一端を上記ネットワークインターフェイス１１に、他端をホストバス４に接続され、第１のＲＡＭ３３及び第２のＲＡＭ３４の２個のＲＡＭを第１の切り替えスイッチ３１及び第２の切り替えスイッチ３２にて切り替えられて書込み及び読み出しを交互になされることによりデータの転送等を調整する。
【００３８】
また、上記インターフェイスボード１９は、各ＲＡＭを制御するコントロールＲＡＭレジスタ１４と、Ｉ／Ｏを制御するコントロールＩ／Ｏレジスタ１５とを有している。
【００３９】
上記コントロールＲＡＭレジスタ１４とコントロールＩ／Ｏレジスタ１５は、上記ホストバス４に接続され、データを一時的に記憶する揮発性のレジスタである。
【００４０】
上記ＲＩＳＣ ＣＰＵボード２０は、縮小命令セットを備えるＣＰＵであるＲＩＳＣ ＣＰＵ３と、不揮発性のメモリであるＲＯＭ９と、揮発性のメモリであるＳＲＡＭ１７とを有している。これらＲＩＳＣ ＣＰＵ３、ＲＯＭ９及びＳＲＡＭ１７は、それぞれ上記ホストバス４に接続されている。
【００４１】
上記ＲＯＭ９は、例えば１ＭＢのものを用いることができる。上記ＳＲＡＭ（Static Random Access Memory ）１７は、一度書き込んだデータは電源を落とすまで保持される再書込みが不要なＲＡＭであり、例えば２ＭＢの容量のものを用いることができる。
【００４２】
また、上記ＲＩＳＣ ＣＰＵボード２０は、ＡＴＡアダプタ５と、ＨＤＤ６と、水晶発振器２１とを有している。
【００４３】
ＩＤＥとして知られるＡＴＡ方式アダプタ５は、上記ホストバス４とＨＤＤ６とを直結するためのインターフェイスである。このＡＴＡアダプタ５とＨＤＤ６との間は、ＥＩＤＥ（Enhanced Intelligent Drive Electronics）として知られる、ＡＮＳＩ（American National Standards Institute）で定められたＡＴＡ標準方式にて結ばれている。このＥＩＤＥは、ＩＤＥ互換であるインターフェイスであり、各データ転送速度のモードを有しており、その最大転送速度は３３ＭＢｙｔｅ／秒であり、例として１３．３ＭＢｙｔｅ／秒のデータ転送速度のモードでのデータ転送速度で十分に行うことができる。
【００４４】
また、ＥＩＤＥは、ディスク上の全データセクタへのセクタアドレッシングにおいて、従来のシリンダ／ヘッダ／セクタの各番号でセクタにアクセスする方式の他に、全データセクタを論理ブロックとして扱って論理ブロック番号（LBA）でセクタにアクセスする方式を有している。
【００４５】
上記ＨＤＤ６は、ＡＶデジタルデータストリームを記録される固定ディスク装置であり、例えば、ディスクの径が３．５インチの３．５インチ型のＨＤＤを利用することができる。
【００４６】
上記水晶発振器２１は、一定の周波数の基準信号を供給する発振器である。図中では、上記水晶発振器２１は、周波数２８ＭＨｚの基準信号を発生して上記ＲＩＳＣ ＣＰＵ３に供給している。
【００４７】
本発明の実施の形態としては、例としてＡＴＡ方式インターフェイスを有するハードディスクを使用して、ＡＴＡプロトコルに準拠して制御して映像音声デジタルデータを記録再生している例を説明している。ここで、ＡＴＡプロトコルにおいて必要となる、ＡＴＡデバイス専用のアドレス信号、アクセスウエイト制御信号、割り込み信号、データバイトバッファ制御信号の生成を行って、ＲＩＳＣＣＰＵとＡＴＡ方式インターフェイスを有するハードディスクを接続させているＡＴＡアダプタ５の回路機構を、図４を参照して簡潔に説明しておく。
【００４８】
本実施の形態におけるＡＴＡアダプタ５では、ＣＰＵのホストバス４に複数の各デバイスを接続できるように外部ベクタ割り込み方式を使用している。
【００４９】
ＡＴＡアダプタ５はその内部に第１のＡＴＡインターフェイス１０１と第２のＡＴＡインターフェイス１１１を有している。第１のＡＴＡインターフェイス１０１はその内部に、アドレスデコード回路１０２とアクセスウエイト部１０４、双方向バッファ１０３を有している。
【００５０】
第１のＡＴＡインターフェイス１０１はホストバス４のアドレスバス４ａから３２ビット相当の振るアドレス情報を含むアドレスデータが入力され、内蔵するアドレスデコード回路１０２にてＡＴＡインターフェイスアドレスのセレクト１０２ａ、１６ビット長のワードデータのＡＴＡデータアドレスのセレクト１０２ｂ、８ビットのレジスタ設定データのＡＴＡレジスタアドレスのセレクト１０２ｃを行っている。
【００５１】
そして、これらのアドレスデコード結果から、ハードディスクのＡＴＡコネクタインターフェイスに各種制御信号を生成して与えている。ここでＣＰＵからの入力は３２ビット相当のアドレス信号、ＣＰＵのＲＥＡＤ、ＷＲＩＴＥ制御信号、ベクタフェッチ制御信号、そしてＣＰＵの有するデータバスのうちからＡＴＡアダプタ５に向けてＣＰＵによりデータバス幅を設定された１６ビットデータバス幅の上位バイト、下位バイト各データである。
【００５２】
ここで３２ビット相当のアドレス信号とは、実質的にＣＰＵ内部の３２ビットアドレス情報をもつアドレス信号と言うことであり、例えば３２ビットアドレスバスの上位数ビットについては、ＣＰＵのアクセス可能な全アドレスマップのうちから所定のアドレスエリア部分領域アクセス範囲を選択する領域選択アドレス信号として代わりに有しているものをも含む。
【００５３】
また、第２のＡＴＡインターフェイス１１１はその内部に、プライオリティエンコーダ１１２、外部ベクタ生成回路１１３を有している。
【００５４】
第１のＡＴＡインターフェイス１０１は、ハードディスクとのＡＴＡ標準の信号の入出力として、アドレス信号としてはＲＩＳＣ ＣＰＵの３２ビット相当のアドレス信号をフルアドレスデコードしてＡＴＡデバイスおよびＡＴＡデバイスの内部の各レジスタとデータレジスタをアドレスセレクトするアドレスデコード回路１０２が設けられている。ＡＴＡデバイスへの出力アドレス信号としてはＣＳ０−、ＣＳ１−、そして３２ビット相当のホストバスの下位側アドレスのＡＤＲ[３．．１]を１ビット分アドレスビットシフトさせたＤＡ[２．．０]の各アドレス信号出力がＡＴＡデバイスに入力されている。
【００５５】
また、制御信号として、ＣＰＵ側からのＩＯＲ−、ＩＯＷ−の読み出し書き込み信号に加えてさらに、ディスクドライブ側からデータ転送中のホストＣＰＵに対するＡＴＡデバイスからのアクセスウエイト要求信号であるＩＯＲＤＹ、さらに、ＡＴＡ標準のプロトコルによるディスクドライブの制御レジスタ設定やデータ転送処理フローにおける割り込み処理要求制御信号であるＩＮＴＲＱ信号といったこれら各制御信号入力に対して、高速な処理のＲＩＳＣ ＣＰＵをＡＴＡプロトコルのタイミングに適合させるために、アクセスウエイト回路１０４が設けられている。
【００５６】
またこのアクセスウエイト回路１０４には、外部割込み要求に対してＣＰＵが外部ベクタ番号データを取り込む際に後述する外部ベクタ生成回路１１３でのベクタ番号データ発生時間を待つアクセスウエイトを発生させるために、ベクタ取込み状態制御（ストローブ）信号であるベクタフェッチ制御信号入力も一緒に設けられている。
【００５７】
データ入出力信号としては、ＡＴＡ標準のハードディスクドライブ内部に設けられているコントロール・ブロックレジスタ群、コマンド・ブロックレジスタ群に対してＡＴＡプロトコルに準じて設定レジスタ値の読み書きに使用する下位データバイトＤＤ[７．．０]、および１６ビットワードのデータ転送の際にこの下位データバイトともに用いる上位データバイトＤＤ[１５．．８]の入出力が設けられている。
【００５８】
第２のＡＴＡインターフェイス１１１は、外部ベクタ割り込み回路であり、その内部には複数のデバイスの中から割り込み要求のあったデバイスのＣＰＵに対する割り込み処理の優先順位を決めるプライオリティエンコーダ１１２と、割り込み要求のあったデバイスの優先順位情報をアドレスデータで与えてベクタ番号データを生成して、プログラムによってアクセスプログラム処理を行っているＣＰＵに提供する外部ベクタ生成回路１１３からなる。
【００５９】
プライオリティエンコーダ１１２は各デバイス毎の割込み要求信号をそれぞれ入力され、予めデバイスからの割込入力毎に割り当てられた優先順位をＣＰＵに返している。ＡＴＡ標準のディスクドライブからの割込要求信号ＩＮＴＲＱをうけて、このディスクドライブの優先順位を例えば４つの割り込みレベル信号であるＩＲＬ０−〜ＩＲＬ３−にエンコードしてホストバス４のコントロールバス４ｃに出力することにより、ＣＰＵに取り込まれる。
【００６０】
またこれとともに、外部ベクタ生成回路１１３は、割込み要求のあったデバイスに割り当てられた上述の割り込みレベル信号をうけたＣＰＵが発するベクタフェッチのストロー部（状態制御）信号とＲＥＡＤ信号、およびこの状態で割込み優先レベルＩＲＬ０−〜ＩＲＬ３−をうけて、ＣＰＵにより内部で下位４ビットのアドレス信号に変換されＣＰＵから出力されてきた割込み優先レベル番号をＡＤＲ[３．．０]のアドレスバスの下位４ビットで入力される。
【００６１】
ここで、ベクタフェッチのストロー部（状態制御）信号が発せられている期間はアドレスバスの下位４ビットはＣＰＵからの割込み優先レベル番号のために使われている。そして、この２つの制御信号入力と下位４ビットアドレス入力をうけて、外部ベクタをバイト長でＣＰＵのデータバスの下位バイトに出力して、選択されたデバイスに割り当てられた外部ベクタ番号データをＣＰＵに取り込ませている。
【００６２】
以上により３２ビットＲＩＳＣ−ＣＰＵとＡＴＡ方式インターフェイスを有するディスクドライブを接続している。
【００６３】
この具体例においては、上記情報記録装置は、モード設定コマンダ８として表示部一体型のＰＣを用いている。このＰＣの表示部に表示されているように、このモード設定コマンダ８を介し、少なくとも“録音”、“再生”、“スロー”、“スチル”及び“サーチ”の操作をすることができる。
【００６４】
続いて、この情報記録装置におけるデータの流れの概略について、図５を参照して説明する。上記ＤＶビデオカメラ１の備えるエンコード／デコード部１ａと、ＥＩＤＥ規格のＨＤＤ６は、ネットワークインターフェイスを介し、さらに上記２バンクＲＡＭ２ａを介して相互に情報を送受している。これらエンコード／デコード部１ａ及びネットワークインターフェイスとＨＤＤ６の間の情報の伝送は、上記ＨＤＤ６と２バンクＲＡＭ２ａの間の伝送路に接続するＲＩＳＣ ＣＰＵ３によって制御されている。
【００６５】
上記エンコード／デコード部１ａから上記２バンクＲＡＭには、ネットワークインターフェイスを介して２８．６Ｍｂｐｓの転送レートにてＩＥＥＥ１３９４規格に従うＡＶデジタルデータストリームにてデータが転送される。上記２バンクＲＡＭ２ａから上記ＨＤＤ６に入力するデータは、３４Ｍｂｐｓの転送レートにて転送されてライトされる。
【００６６】
逆に、上記ＨＤＤ６からリード（読み込み; read）されたデータは、ライトの場合と同じく３４Ｍｂｐｓの転送レートにて上記２バンクＲＡＭ２ａに伝送される。上記２バンクＲＡＭ２ａから上記エンコード／デコード部１ａには、ネットワークインターフェイスを介して、例えば、２８．６Ｍｂｐｓの転送レートのＩＥＥＥ１３９４規格に従うＡＶデジタルデータストリームとしてデータが伝送される。
【００６７】
ここで、上記エンコード／デコード部１ａとネットワークインターフェイスと２バンクＲＡＭ２ａの間の伝送路におけるデータの転送レートと、上記ＨＤＤ６と２バンクＲＡＭ２ａの間の伝送路における転送レートとは相違している。
【００６８】
ＨＤＤ６の入力データは高速だがデータの連続性があり、ネットワークインターフェイスの入出力データはそれより高速ではないがより連続性がある。
【００６９】
上記２バンクＲＡＭ２ａは、第１のフレームメモリ３３及び第２のフレームメモリ３４の２個のフレームメモリを備え、これら第１のフレームメモリ３３及び第２のフレームメモリ３４を切り替えてライト（書込み）及びリード（読み出し）を交互に行うことにより、データの転送速度の相違を調整している。
【００７０】
すなわち、２バンクＲＡＭ２ａの各々のフレームメモリは、片方のフレームメモリに１フレーム時間内でデータを書き込み、他方のフレームメモリからは１フレーム時間内にデータを読み出すことにより、データの転送速度やデータの連続性が相違していても、１フレーム時間内の各メモリへの書き込みと読み出しを完了させればデータの連続性が維持されるので、連続デジタルデータの転送を行うことができる。
【００７１】
続いて、上記２バンクＲＡＭ２ａにおけるデータの転送を、図６に示すデータ転送タイミング図を参照して説明する。
【００７２】
上記ＨＤＤ６からネットワークインターフェイスとエンコード／デコード部１ａに情報が伝送されるリード時には、上記２バンクＲＡＭ２ａにおいては、図中のＡに示すようにデータが転送される。
【００７３】
最初のフレームＦ０においては、第１のフレームメモリ３３にはデータＡ１（第１のフレームメモリ３３に記録されたデータに指標“Ａ”を付して区別する。）がライトされ、第２のフレームメモリ３４からはデータＢ０（第２のフレームメモリ３４に記録されたデータを指標“Ｂ”を付して区別する。）がリードされる。
【００７４】
ここで、上記ＲＩＳＣ ＣＰＵ３は、常にステータスレジスタを監視し、ＲＩＳＣ ＣＰＵ３は、第１のフレームメモリ３３へのデータＡ１のライトが終了すると“１”にし、第２のフレームメモリ３４からのデータＢ０のリードが終了すると“０”にする。この第１のフレームメモリ３３へのデータＡ１のライトに要する時間は、第２のフレームメモリ３４におけるデータＢ０からのリードに要する時間よりも短いので、データＡ１のライトが終了したタイミングでステータスレジスタを“１”にし、その後、データＢ０のリードが終了したタイミングでステータスレジスタは、“０”にする。
【００７５】
このステータスレジスタが“０”になったところで、第１のフレームメモリ３３と第２のフレームメモリ３４とが切り替えられ、今度は、第１のフレームメモリ３３にリードが行われ、第２のフレームメモリ３４にライトが行われる。
【００７６】
よって、最初のフレームＦ０に続く第１のフレームＦ１においては、第１のフレームメモリ３３から最初のフレームＦ０にてライトしたデータＡ１がリードされ、第２のフレームメモリ３４には、データＢ１が書き込まれる。
【００７７】
ここで、第１のフレームメモリ３３へのデータＢ１のライトと第２のフレームメモリ３４からのデータＡ１のリードは、ステータスレジスタが“０”の状態で、かつ、図中の矢印４２にて示されるように、フレームパルスが“ロー”レベルから“ハイ”レベルに立ち上がるタイミングで開始される。
【００７８】
このフレームパルスは、立ち上がりの時刻から所定時間を経過すると立ち下がる。
【００７９】
さらに、上記第１のフレームＦ１に続く第２のフレームＦ２においては、上記第２のフレームメモリ３４から上記第１のフレームにてライトしたデータＢ１がリードされ、上記第１のフレームメモリ３３には、データＡ２がライトされる。これら第１のフレームＦ１及び第２のフレームＦ２におけるライト及びリードのタイミングは、最初のフレームＦ０におけるタイミングと同様である。
【００８０】
ここでは、ライト時にはＲＩＳＣ ＣＰＵ３は、１フレームに相当する１１９．２ｋＢｙｔｅｓをＲＡＭにライト終了後、ステータスレジスタを“０”から“１”にする。リード時には、１フレーム分をリード終了後にステータスレジスタを“１”から“０”にする。
【００８１】
上述のようなフレームデータの流れは、全体として、A0,B0,A1,B1,A2,B2,A3,B3,A4,B4,・・・のようになる。このようにして第１のフレームメモリ３３及び第２のフレームメモリ３４のリード及びライトのタイミングを調整して転送することにより転送速度を変換している。
【００８２】
上記エンコード／デコード部１ａからＨＤＤ６に情報が伝送されるライト時には、上記２バンクＲＡＭ２ａにおいては、図中のＢに示すようにデータが転送される。
【００８３】
最初のフレームＦ０においては、第１のフレームメモリ３３にはデータＡ１がライトされ、第２のフレームメモリ３４からはデータＢ０がリードされる。
【００８４】
ここで、上記ＲＩＳＣ ＣＰＵ３は、常にステータスレジスタを監視し、ＲＩＳＣ ＣＰＵ３は、第２のフレームメモリ３４からのデータＢ０のリードが終了すると“１”にし、第１のフレームメモリ３３へのデータＡ１のライトが終了すると“０”にする。この第２のフレームメモリ３４からのデータＢ０のリードに要する時間は、第１のフレームメモリ３３へのデータＡ１のライトに要する時間よりも短いので、データＢ０のリードが終了したタイミングでステータスレジスタを“１”にし、その後、データＡ１のライトが終了したタイミングでステータスレジスタは、“０”にする。
【００８５】
このステータスレジスタが“０”になったところで、第１のフレームメモリ３３と第２のフレームメモリ３４とが切り替えられ、今度は、第１のフレームメモリ３３からリードが行われ、第２のフレームメモリ３４へライトが行われる。
【００８６】
よって、最初のフレームＦ０に続く第１のフレームＦ１においては、第１のフレームメモリ３３から最初のフレームＦ０にてライトしたデータＡ１がリードされ、第２のフレームメモリ３４には、データＢ１が書き込まれる。
【００８７】
ここで、第１のフレームメモリ３３へのデータＢ１のライトと第２のフレームメモリ３４からのデータＡ１のリードは、ステータスレジスタが“０”の状態で、かつ、図中の矢印４２にて示されるように、フレームパルスが“ロー”レベルから“ハイ”レベルに立ち上がるタイミングで開始される。
【００８８】
このフレームパルスは、立ち上がりの時刻から所定時間を経過すると立ち下がる。
【００８９】
さらに、上記第１のフレームＦ１に続く第２のフレームＦ２においては、上記第２のフレームメモリ３４から上記第１のフレームにてライトしたデータＢ１がリードされ、上記第１のフレームメモリ３３には、データＡ２がライトされる。なお、これら第１のフレームＦ１及び第２のフレームＦ２におけるライト及びリードのタイミングは、最初のフレームＦ０におけるタイミングと同様である。
【００９０】
ここでは、ライト時にはＲＩＳＣ ＣＰＵ３が１フレームに相当する１１９．２ｋＢｙｔｅｓをＲＡＭにライト終了後、ステータスレジスタを“０”から“１”にする。リード時には、１フレーム分をリード終了後にステータスレジスタを“１”から“０”にする。
【００９１】
次に、ＡＶデジタルデータストリームを記録する記録媒体のフォーマットについて説明する。
【００９２】
記録媒体であるＨＤＤの記録フォーマットは、図７に示すように、５１２Ｂｙｔｅのセクタ２４を単位として構成されている。ＤＶ方式が標準解像度のＳＤ信号に対応するＳＤ仕様の場合には、１１９．２ｋＢｙｔｅのＡＶデジタルデータストリームを１フレームとしている。そこで、１１９．２９６ｋＢｙｔｅである連続する２３３セクタの最初から上記ＡＶデジタルデータストリームを連続して記録され、最後のセクタのＡＶデジタルデータストリームが書き込まれなかった余白２３にはスタッフィングがなされる。このスタッフィングされる部分には、任意のデータが書き込まれる。
【００９３】
ＤＶ方式が高圧縮ＳＤ信号に対応する高圧縮ＳＤ仕様の場合には、図８に示すように、５１２Ｂｙｔｅのセクタ２４が１１７個連続した５９．９０４ｋＢｙｔｅｓの領域の先頭から５９．６ｋＢｙｔｅｓの１フレームの高圧縮ＳＤ仕様のＤＶ信号を連続して書き込み、最後のセクタのＡＶデジタルデータストリームが書き込まれなかった余白２３にはスタッフィングをする。このように高圧縮ＳＤ仕様のＡＶデジタルデータストリームの記録は、ＡＶデジタルデータストリームが書き込まれた部分２２とスタッフィングされた部分２３とからなる１１７セクタを単位として記録されている。
【００９４】
ＤＶ方式がＨＤ信号に対応するＨＤ仕様の場合には、図９に示すように、５１２Ｂｙｔｅのセクタ２４が４６６個連続した２３８．５９２ｋＢｙｔｅｓの領域の先頭から２３８．４ｋＢｙｔｅｓの１フレームのＨＤ仕様のＤＶ信号を連続して書き込み、最後のセクタのＡＶデジタルデータストリームが書き込まれなかった余白２３にはスタッフィングをする。このようにＨＤ仕様のＡＶデジタルデータストリームの記録は、ＡＶデジタルデータストリームが書き込まれた部分２２とスタッフィングされた部分２３とからなる４６６セクタを単位として記録されている。
【００９５】
次に、上記情報記録方法に係る一連の工程についてフローチャートを参照して説明する。
【００９６】
上述のような記録フォーマットに従いＳＤ仕様のＤＶ方式のＡＶデジタルデータストリームが記録されたＨＤＤから再生がなされる際には、図１０に示すような手順に従って行われる。
【００９７】
ステップＳ１１においては、第０フレームのＡＶデジタルデータストリームがリードされる。ＳＤ仕様のＤＶ方式の場合には、１フレームのＡＶデジタルデータストリームは２３３セクタを単位として記録されているので、このＡＶデジタルデータストリームの記録の始点を第Ｓセクタとすると、この第Ｓセクタから１フレームのＡＶデジタルデータストリームに対応する２３３セクタの領域がリードされる。そして、ステップＳ１２に進む。
【００９８】
ステップＳ１２においては、第１フレームのＡＶデジタルデータストリームがリードされる。ここでは、第０フレームのＡＶデジタルデータストリームの記録の終点の次のセクタである第Ｓ＋２３３セクタから１フレームのＡＶデジタルデータストリームに対応する２３３セクタの領域がリードされる。
【００９９】
以下、同様の手順により、第２フレームから第ｎ−２フレームまでのＤＶ信号がリードされる。そして、第ｎ−１フレームに対応するステップＳ１３に進む。
【０１００】
ステップＳ１３においては、第ｎ−１フレームのＡＶデジタルデータストリームがリードされる。ここでは、第ｎ−２フレームのＡＶデジタルデータストリームの記録の終点の次のセクタである第Ｓ＋２３３＊（ｎ−１）セクタから１フレームのＡＶデジタルデータストリームに対応する２３３セクタの領域がリードされる。そして、ステップＳ１４に進む。
【０１０１】
ステップＳ１４においては、第ｎフレームのＡＶデジタルデータストリームが読み出される。ここでは、第ｎ−１フレームのＡＶデジタルデータストリームの記録の終点の次のセクタである第Ｓ＋２３３＊ｎセクタから１フレームのＡＶデジタルデータストリームに対応する２３３セクタの領域がリードされる。このようにして第０フレームから第ｎフレームまでのＡＶデジタルデータストリームのリードを終えたので、ＡＶデジタルデータストリームの再生に係るこの一連の工程を終了する。
【０１０２】
続いて、上記ＳＤ仕様のＤＶ方式のフォーマットに従いＨＤＤにＡＶデジタルデータストリームの記録を行う際の一連の手順を、図１１に示すフローチャートを参照して説明する。
【０１０３】
最初のステップＳ２１においては、第０フレームのＡＶデジタルデータストリームがライトされる。ここでは、この一連のＡＶデジタルデータストリームの記録を開始する始点である第Ｓセクタの先頭からＳＤ仕様のＡＶデジタルデータストリームの１フレームに対応する２３３セクタの領域がライトされる。そして、ステップＳ２２に進む。
【０１０４】
ステップＳ２２においては、第１フレームのＡＶデジタルデータストリームがライトされる。ここでは、第０フレームの記録の終点のセクタの次のセクタである第Ｓ＋２３３セクタからＳＤ信号の１フレームに対応する２３３セクタに第１フレームのＡＶデジタルデータストリームが記録される。
【０１０５】
以下、同様にして、第２フレームから第ｎ−２フレームまでのＡＶデジタルデータストリームが記録される。そして、ステップＳ２３フレームに進む。
【０１０６】
ステップＳ２３においては、第ｎ−１フレームのＡＶデジタルデータストリームがライトされる。ここでは、第ｎ−１フレームの対応する２３３セクタに第ｎ−１フレームのＡＶデジタルデータストリームが記録される。そして、ステップＳ２４に進む。
【０１０７】
ステップＳ２４においては、第ｎフレームのＡＶデジタルデータストリームがライトされる。ここでは、第ｎフレームの対応する２３３セクタに第ｎフレームのＡＶデジタルデータストリームが記録される。そして、第ｎフレームのＡＶデジタルデータストリームのライトをもってＡＶデジタルデータストリームの記録に係るこの一連の手順を終了する。
【０１０８】
上述の説明においてはＤＶ方式としてはＳＤ仕様について例示したが、高圧縮ＳＤ仕様のＡＶデジタルデータストリームに関する場合にはリード／ライトの単位を１１７セクタに、ＨＤ仕様のＡＶデジタルデータストリームに関する場合にはＨＤＤにおけるリード／ライトの単位を４６６セクタに変更することにより対応することができる。
【０１０９】
続いて、上記情報記録方法の一連の工程について、上記図１を参照して上述した情報記録装置の各部の動作と関連させて説明する。
【０１１０】
再生時は、上記図１０に示した工程のようにソフトウェア制御され、セクタ単位でＨＤＤ６よりＡＶデジタルデータストリームデータがリードされ、ＡＴＡアダプタ５及びホストバス４を介してインターフェイスバッファ２の２バンクＲＡＭ２ａに交互にライトされ、フレームパルス基準でリードされることにより、リアルタイム性が確保されたＡＶデジタルデータストリームが得られ、ＤＶビデオカメラの高能率エンコード／デコード部１ａに供給され、再生動画像がモニタ７で得られる。オーディオに関しても上記エンコード／デコード部１ａを介して供給され、再生オーディオがスピーカ（ＳＰ）７ａより得られる。
【０１１１】
このように、ＨＤＤ６においては、ＨＯＳＴ側で論理ブロックアドレス（Logical Block Address; LBA）をソフトウェアで設定すれば、セクタ単位で任意のリード／ライトを行えるため、上述のような記録フォーマットによりＡＶデジタルデータストリームを記録することにより、セクタを指定してリードしインターフェイスバッファ２の２バンクＲＡＭ２ａにライトしリードすることにより、スタッフィングデータの不要なデータを除くことができる、読み出しセクタをソフトウェアで各種制御しリードされたデータをホストバス４を介してインターフェイスバッファ２の２バンクＲＡＭ２ａにライトすることにより、変速再生をもＲＩＳＣ ＣＰＵ３のソフトウェア制御だけで実現できる。
【０１１２】
上記モード設定コマンダ８は、録画／再生／変速再生モード等に対応した制御コードのＩＤをＲＳ−２３２Ｃを介してＲＩＳＣ ＣＰＵ３に送っている。ＲＩＳＣ ＣＰＵ３では、これらのコマンダＩＤを基に、それぞれに対応するアプリケーションソフトウェアを起動され、ドライバソフトウェアによりＨＤＤ６のリードライトを制御する。
【０１１３】
なお、本発明で使用しているデジタルインターフェイスであるＩＥＥＥ１３９４のアシンクロナスモードを使い、モードコマンド信号を外部よりＲＩＳＣ ＣＰＵ３に供給することもできる。もちろん、ＲＩＳＣ ＣＰＵ３は、従来の縮小命令セットではない命令セットを有するＣＩＳＣでも可能である。
【０１１４】
なお、本実施の形態に係る図１に示したＡＶマイコンシステム１０においては、インターフェイスバッファ２の２バンクＲＡＭ２ａ、ＨＤＤ６のレジスタ、ＲＡＭ１７、ＲＯＭ９のすべてがＲＩＳＣ ＣＰＵ３のメインメモリにマッピングされているユニフォーマットとなっている。こうすることにより、供給されるデータ（ＡＶデジタルデータストリームデータ、ＩＴデータとも）をＨＤＤ６に、ＲＩＳＣ ＣＰＵ３のデータ転送制御ソフトウェアのみにより、自由自在にリード／ライトすることが可能となっている。
【０１１５】
なお、上述の実施の形態ではＤＶ規格に基づいて１フレーム単位で固定長化されて記録される例を示したが、例えばＭＰＥＧ規格にて圧縮される画像、音声信号についても、圧縮率をコントロールすることにより図１２に示すように容量が５１２ｋＢ／１０２４ｓｃｔのＧＯＰ（Group Of Picture）単位でＭＰＥＧ信号を固定長化して記録することが可能である。
【０１１６】
即ち、上述の実施の形態では、ＤＶビデオカメラを用いて、ＤＶ信号をハードディスクの論理セクタと整数倍の関係として記録再生することによりアクセスの良い変速再生を実現できるシステムについて述べてきたが、ＤＶビデオカメラに変えてＭＰＥＧ信号を受信して出力する装置を用いて、上述したＡＶマイコンシステム１０と同様なシステムを構成する場合、出力するＭＰＥＧ信号のＧＯＰ及び／又はＩフレームのデータ最大数を固定になるように制御し、これをハードディスクの論理セクタの整数倍に当てはめることによって、ＭＰＥＧ信号を入力する装置においても同様にアクセス速度のよい変速再生を実現できることになる。
【０１１７】
このようにＭＰＥＧ信号を記録再生する情報記録装置は、図１３に示すように、アナログ方式のビデオ信号及びオーディオ信号を受信するアンテナ１５０を介して信号を入力するチューナー１５１と、チューナー１５１で入力したビデオ信号をデジタルデータに変換するＡ／Ｄ変換回路１５２と、Ａ／Ｄ変換回路１５２からデジタル方式のビデオ信号が入力されるＮＴＳＣデコーダ１５３と、ＮＴＳＣデコーダ１５３でベースバンド信号に変換されたビデオ信号を入力するＭＰＥＧ２エンコーダ１５４と、デジタル方式のＭＰＥＧデータが入力されるマルチプレクサ１５５とを備える。
【０１１８】
また、この情報記録装置は、チューナー１５１に入力されたオーディオ信号が入力されるＡ／Ｄ変換回路１５６と、Ａ／Ｄ変換回路１５６でデジタル方式とされたオーディオ信号が入力されるＭＰＥＧ１エンコーダ１５７とを備える。
【０１１９】
チューナー１５１は、アンテナ１５０で受信した例えばＮＴＳＣ（National Television System Committee）方式の信号が入力される。このチューナー１５１は、アンテナ１５０で受信したビデオ信号及びオーディオ信号を受信するとともに、検波を施す。そして、このチューナー１５１は、検波を施したビデオ信号をＡ／Ｄ変換回路１５２に出力し、オーディオ信号をＡ／Ｄ変換回路１５６に出力する。
【０１２０】
Ａ／Ｄ変換回路１５２は、ビデオ入力端子又はチューナー１５１からのビデオ信号にＡ／Ｄ変換処理を施してビデオデータとする。そして、Ａ／Ｄ変換回路１５２は、例えばＮＴＳＣ方式のビデオデータをＮＴＳＣデコーダ１５３に出力する。
【０１２１】
ＮＴＳＣデコーダ１５３には、Ａ／Ｄ変換回路１５２からのＮＴＳＣ方式のビデオデータが入力される。このＮＴＳＣデコーダ１５３は、入力されたビデオデータに伸長処理を施してベースバンド信号を生成する。そして、このＮＴＳＣデコーダ１５３は、スイッチ１５８の端子１を介してＭＰＥＧ２エンコーダ１５４にベースバンド信号を出力する。
【０１２２】
ＭＰＥＧ２エンコーダ１５４は、ＮＴＳＣデコーダ１５３からのベースバンド信号に圧縮処理を施す。このとき、このＭＰＥＧ２エンコーダは、入力されたベースバンド信号をＭＰＥＧ２方式のデジタルデータとなるように圧縮処理を施す。このＭＰＥＧ２エンコーダ１５４は、上述したように、入力されたベースバンド信号に対してハードディスクの論理セクタの整数倍となるように所定の圧縮率で符号化処理を施す。すなわち、ＭＰＥＧ２エンコーダ１５４は、入力したＧＯＰ及び／又はＩフレームのデータ最大値がハードディスクの論理セクタの整数倍のデータ量となるように圧縮符号化を施す。
【０１２３】
また、このＭＰＥＧ２エンコーダ１５４は、スイッチ１５８の端子２、スイッチ１６２の端子２を介してＭＰＥＧ２デコーダ１６０からベースバンド信号が入力される。このＭＰＥＧ２エンコーダ１５４は、ＭＰＥＧ２デコーダ１６０からのベースバンド信号に対しても所定の圧縮率で符号化を施す。
【０１２４】
一方、チューナー１５１は、アンテナ１５０から入力された信号のうち、オーディオ信号をＡ／Ｄ変換回路１５６に出力する。Ａ／Ｄ変換回路１５６は、入力されたオーディオ信号にＡ／Ｄ変換処理を施してオーディオデータとする。そして、このＡ／Ｄ変換回路１５６は、オーディオデータをＭＰＥＧ１エンコーダ１５７に出力する。
【０１２５】
ＭＰＥＧ１エンコーダ１５７は、Ａ／Ｄ変換回路１５６からのオーディオデータにＭＰＥＧ１方式で圧縮処理を施して、マルチプレクサ１５５に出力する。
【０１２６】
マルチプレクサ１５５は、ＭＰＥＧ２エンコーダ１５４からのビデオデータと、ＭＰＥＧ１エンコーダ１５７からのオーディオデータとを多重化処理する。このマルチプレクサ１５５は、ビデオデータをＶとし、オーディオデータをＡとすると、例えばＭＰＥＧ信号のＧＯＰの時間単位にＶＡＶＡＶＡ・・・と時間軸の圧縮を行いデジタルデータストリームを作成する。このマルチプレクサ１５５は、多重化処理して得たデジタルデータストリームをインターフェイスバッファ２に出力する。
【０１２７】
また、このマルチプレクサ１５５は、インターフェイスバッファ２からＨＤＤ６内のハードディスクに記録されたデジタルデータストリームが入力される。このマルチプレクサ１５５は、インターフェイスバッファ２から入力されたデジタルデータストリームをビデオデータとオーディオデータとに分割する。このマルチプレクサ１５５は、分割して得たビデオデータをスイッチ１７１の端子２を介してマルチプレクサ１６９に出力するとともに、スイッチ１５９の端子１を介してＭＰＥＧ２デコーダ１６０に出力する。また、このマルチプレクサ１６９は、分割して得たオーディオデータをディレイ回路１７０を介してマルチプレクサ１６９に出力するとともに、ＭＰＥＧ１デコーダ１６１に出力する。
【０１２８】
また、この情報記録装置は、ＭＰＥＧ方式のデジタルデータを受信するアンテナ１６６と、ＳＴＢ（セットトップボックス）１６７と、デジタルＩ／Ｆ回路１６８と、マルチプレクサ１６９と、ディレイ回路１７０とを備える。
【０１２９】
アンテナ１６６は、上述と同様に、例えばＭＰＥＧ方式のデジタルデータを入力する。このアンテナ１６６は、受信したデジタルデータをＲＦ信号としてＳＴＢ１６７に出力する。
【０１３０】
ＳＴＢ１６７は、アンテナ１６６からのデジタルデータとしてフロントエンドで受信、検波する。そして、このＳＴＢ１６７は、例えばスクランブル等がかけられたデジタルデータのスクランブルを解除してデジタルＩ／Ｆ回路１６８に出力する。
【０１３１】
また、このＳＴＢ１６７は、デジタルＩ／Ｆ回路からデジタルデータが入力される。このＳＴＢ１６７には、ＭＰＥＧデコーダが内蔵されている。このＳＴＢ１６７は、このＭＰＥＧデコーダを用いてデジタルＩ／Ｆ回路１６８からのデジタルデータにデコード処理を施し、例えば圧縮されたビデオデータ及びオーディオデータを伸長して映像信号と音響信号とに変換する。
【０１３２】
デジタルＩ／Ｆ回路１６８は、物理層／リンク層処理回路を有しており、ＳＴＢ１６７からのデジタルデータに変換処理等の信号処理を施してマルチプレクサ１６９に出力する。
【０１３３】
また、このデジタルＩ／Ｆ回路１６８には、マルチプレクサ１６９からビデオデータとオーディオデータとが多重化されてなるデジタルデータが入力される。このデジタルＩ／Ｆ回路１６８は、このデジタルデータをＳＴＢ１６７に出力する。
【０１３４】
マルチプレクサ１６９は、デジタルＩ／Ｆ回路１６８からのデジタルデータをビデオデータとオーディオデータとに分割する分割処理を施す。このマルチプレクサ１６９は、分割処理して得たビデオデータをスイッチ１７１の端子１、スイッチ１５９の端子２を介してＭＰＥＧ２デコーダ１６０に出力する。また、このマルチプレクサ１６９は、オーディオデータをディレイ回路１７０に出力する。
【０１３５】
また、このマルチプレクサ１６９は、マルチプレクサ１５５からビデオデータがスイッチ１７１を介して入力されるとともに、オーディオデータがディレイ回路１７０を介して入力される。そして、このマルチプレクサ１６９は、入力されたビデオデータとオーディオデータとを多重化してデジタルＩ／Ｆ回路１６８に出力する。
【０１３６】
ディレイ回路１７０は、マルチプレクサ１６９からのオーディオデータにディレイ調整を施す。このディレイ回路１７０は、入力されたオーディオデータとビデオデータとの時間差を調整するようにディレイ処理を施して、マルチプレクサ１５５に出力する。
【０１３７】
また、このディレイ回路１７０は、マルチプレクサ１５５で分割されたビデオデータとオーディオデータのうち、オーディオデータのみが入力される。このディレイ回路１７０は、ビデオデータとのディレイ調整を行って、マルチプレクサ１６９にオーディオデータを出力する。
【０１３８】
また、この情報記録装置は、ビデオデータがスイッチ１５９の端子２を介して入力されるＭＰＥＧ２デコーダ１６０と、マルチプレクサ１５５で分割して得たオーディオデータが入力されるＭＰＥＧ１デコーダ１６１と、ＭＰＥＧ２デコーダ１６０でデコードされたビデオデータがスイッチ１６２の端子１を介して入力されるＮＴＳＣエンコーダ１６３と、ＮＴＳＣエンコーダ１６３で符号化されたデータが入力されるＤ／Ａ変換回路１６４と、ＭＰＥＧ１デコーダ１６１でデコードされたオーディオデータが入力されるＤ／Ａ変換回路１６５とを備える。
【０１３９】
ＭＰＥＧ２デコーダ１６０は、ＨＤＤ６に記録されたデジタルデータストリームをＲＩＳＣ ＣＰＵ３のデータ転送ソフトウェアにより読出して、ＡＴＡアダプタ５，ホストバス４，インターフェイスバッファ２を介してマルチプレクサ１５５で分割して得たビデオデータがスイッチ１５９の端子１を介して入力される。このＭＰＥＧ２デコーダ１６０は、圧縮されて入力されたビデオデータに伸長処理を施す。また、このＭＰＥＧ２デコーダ１６０は、スイッチ１５９の端子２を介してマルチプレクサ１６９からビデオデータが入力される。このＭＰＥＧ２デコーダ１６０は、入力されたビデオデータに伸長処理を施したビデオデータをスイッチ１６２に出力する。
【０１４０】
ここで、スイッチ１５９は、マルチプレクサ１６９からのビデオデータをＭＰＥＧ２デコーダ１６０に入力するときには端子２と接続され、マルチプレクサ１５５からのビデオデータをＭＰＥＧ２デコーダ１６０に入力するときには端子１と接続されるように制御される。
【０１４１】
また、スイッチ１６２は、ＭＰＥＧ２デコーダ１６０からのビデオデータをスイッチ１５８に出力するときには端子２と接続され、ＭＰＥＧ２デコーダ１６０からのビデオデータをＮＴＳＣエンコーダ１６３に出力するときには端子１と接続されるように制御される。
【０１４２】
ＮＴＳＣエンコーダ１６３は、ＭＰＥＧ２デコーダ１６０でデコードされたビデオデータがスイッチ１６２の端子１を介して入力される。このＮＴＳＣエンコーダ１６３は、入力されたビデオデータにＮＴＳＣ方式で圧縮処理を施してＤ／Ａ変換回路１６４に出力する。
【０１４３】
Ｄ／Ａ変換回路１６４は、ＮＴＳＣエンコーダ１６３からのビデオデータにＤ／Ａ変換処理を施してビデオ信号とする。そして、このＤ／Ａ変換回路１６４は、ビデオ信号をビデオ出力端子に出力する。
【０１４４】
ＭＰＥＧ１デコーダ１６１には、マルチプレクサ１５５から分割して得たオーディオデータが入力される。このＭＰＥＧ１デコーダ１６１は、入力したオーディオデータに伸長処理を施す。そして、このＭＰＥＧ１デコーダ１６１は、伸長処理を施したオーディオデータをＤ／Ａ変換回路１６５に出力する。
【０１４５】
Ｄ／Ａ変換回路１６５は、ＭＰＥＧ１デコーダ１６１からのオーディオデータにＤ／Ａ変換処理を施してオーディオ信号とする。そして、このＤ／Ａ変換回路１６５は、オーディオ信号をオーディオ出力端子に出力する。
【０１４６】
このような情報記録装置では、ＨＤＤ６内のハードディスクにアンテナ１６６で受信したＭＰＥＧ方式のデジタルデータを記録するときには、先ず、デジタルデータをＳＴＢ１６７、デジタルＩ／Ｆ回路１６８を介してマルチプレクサ１６９に出力する。
【０１４７】
次に、マルチプレクサ１６９では、入力されたデジタルデータをビデオデータとオーディオデータとに分割処理する。そして、このマルチプレクサ１６９では、オーディオデータをディレイ回路１７０に出力する。
【０１４８】
また、このマルチプレクサ１６９では、ビデオデータをスイッチ１７１、スイッチ１５９を介してＭＰＥＧ２デコーダ１６０に出力する。このとき、スイッチ１７１は端子１と接続され、スイッチ１５９は端子２に接続されるように制御されている。
【０１４９】
次に、ＭＰＥＧ２デコーダ１６０では、圧縮されたビデオデータに伸長処理を施してスイッチ１６２、スイッチ１５８を介してＭＰＥＧ２エンコーダ１５４に出力する。このとき、スイッチ１６２は端子２と接続され、スイッチ１５８は端子２と接続するように制御されている。
【０１５０】
次に、ＭＰＥＧ２エンコーダ１５４では、所定の圧縮率で入力されたビデオデータに圧縮処理を施す。このとき、ＭＰＥＧ２エンコーダ１５４では、ＨＤＤ６内のハードディスクの論理セクタの整数倍となるような圧縮率で、ＧＯＰ及び／又はＩピクチャーの圧縮処理を行う。
【０１５１】
次に、ディレイ回路１７０でディレイ処理が施されたオーディオデータがタイミングが制御されてマルチプレクサ１５５に出力されるとともに、ＭＰＥＧ２エンコーダ１５４からのビデオデータがマルチプレクサ１５５に出力される。
【０１５２】
次に、マルチプレクサ１５５では、入力されたオーディオデータとビデオデータとに多重化処理を施してデジタルデータストリームを作成し、インターフェイスバッファ２、ホストバス４、ＡＴＡアダプタ５を介してＨＤＤ６内のハードディスクに記録を行う。したがって、この情報記録装置では、ハードディスクの論理セクタ単位でＭＰＥＧデータが記録されることとなる。
【０１５３】
また、この情報記録装置では、ＨＤＤ６内のハードディスクにアンテナ１５０で受信したＮＴＳＣ方式のアナログ信号を記録するときには、先ず、ＮＴＳＣ方式のアナログ信号をチューナー１５１に出力する。
【０１５４】
次に、チューナー１５１では、アンテナ１５０からのアナログ信号を検波してビデオ信号をＡ／Ｄ変換回路１５２に出力するとともにオーディオ信号をＡ／Ｄ変換回路１５６に出力する。このとき、Ａ／Ｄ変換回路１５２では、ビデオ入力端子からビデオ信号を入力してもよく、Ａ／Ｄ変換回路１５６ではオーディオ入力端子からオーディオ信号を入力しても良い。
【０１５５】
次に、Ａ／Ｄ変換回路１５２では、入力されたビデオ信号にＡ／Ｄ変換処理を施すことによってビデオデータとし、ＮＴＳＣデコーダ１５３に出力する。
【０１５６】
次に、ＮＴＳＣデコーダ１５３では、Ａ／Ｄ変換回路１５２からのビデオデータに伸長処理を施して、ビデオデータをベースバンド信号としてＭＰＥＧ２エンコーダ１５４に出力する。このとき、スイッチ１５８は、端子１に接続するように制御される。
【０１５７】
次に、ＭＰＥＧ２エンコーダ１５４では、スイッチ１５８を介してベースバンド信号が入力される。このＭＰＥＧ２エンコーダ１５４では、入力したベースバンド信号を所定の圧縮率でＭＰＥＧデータとするようにエンコードしてＭＰＥＧ２方式のビデオデータとする。そして、このＭＰＥＧ２エンコーダ１５４では、ＨＤＤ６内のハードディスクの論理セクタの整数倍でＧＯＰ及び／又はＩフレームが圧縮されるようにエンコードを行う。そして、このＭＰＥＧ２エンコーダ１５４では、ビデオデータをマルチプレクサ１５５に出力する。
【０１５８】
一方、チューナー１５１からオーディオ信号が入力されたＡ／Ｄ変換回路１５６では、オーディオ信号にＡ／Ｄ変換処理を施すことでオーディオデータとしてＭＰＥＧ１エンコーダ１５７に出力する。
【０１５９】
そして、ＭＰＥＧ１エンコーダ１５７では、Ａ／Ｄ変換回路１５６からのオーディオデータにＭＰＥＧ１方式でエンコードを施してマルチプレクサ１５５に出力する。
【０１６０】
そして、マルチプレクサ１５５では、ＭＰＥＧ２エンコーダ１５４から入力されたビデオデータとＭＰＥＧ１エンコーダ１５７から入力されたオーディオデータとを多重化処理してデジタルデータストリームを生成する。
【０１６１】
次に、マルチプレクサ１５５では、生成したデジタルデータストリームをインターフェイスバッファ２、ホストバス４、ＡＴＡアダプタ５を介してＨＤＤ６内のハードディスクに記録する。したがって、この情報記録装置では、ハードディスクの論理セクタ単位でＭＰＥＧ方式のデジタルデータストリームが記録されることとなる。
【０１６２】
情報記録装置は、ＨＤＤ６内のハードディスクに記録されたデジタルデータストリームを再生するときには、先ず、ＲＩＳＣ ＣＰＵ３により起動されるデータ転送ソフトウェアによりハードディスクの論理セクタ単位でＨＤＤ６に格納されたデジタルデータストリームを読み出す。このとき、ＲＩＳＣ ＣＰＵ３では、ソフトウェア制御により、例えば種々の変速再生モードでＨＤＤ６に格納されているデジタルデータストリームを読出してもよい。
【０１６３】
次に、この情報記録装置では、ＨＤＤ６から読み出したデジタルデータストリームを、ＡＴＡアダプタ５，ホストバス４，インターフェイスバッファ２を介してマルチプレクサ１５５に入力する。そして、このマルチプレクサ１５５では、入力されたデジタルデータストリームに分割処理を施してビデオデータとオーディオデータとする。
【０１６４】
そして、この情報記録装置では、ハードディスクに記録されたデジタルデータストリームをデジタルデータとして再生するときには、ビデオデータをマルチプレクサ１５５からスイッチ１７１を介してマルチプレクサ１６９に出力するとともに、オーディオデータをディレイ回路１７０でディレイが調整されてマルチプレクサ１６９に出力する。
【０１６５】
次に、このマルチプレクサ１６９では、入力されたオーディオデータとビデオデータとを多重化してデジタルＩ／Ｆ回路１６８に出力する。そして、このオーディオデータとビデオデータとは、ＳＴＢ１６７に入力され、このＳＴＢ１６７内のＭＰＥＧデコーダで音声信号、映像信号とされ、例えばＲＩＳＣ ＣＰＵ３のソフトウェア制御により変速再生、シームレス再生、ノンリニアエディト再生がなされる。
【０１６６】
一方、この情報記録装置でハードディスクに記録されたデジタルデータストリームをアナログ信号として再生するときには、マルチプレクサ１５５からビデオデータをスイッチ１５９の端子１を介してＭＰＥＧ２デコーダ１６０に出力する。
【０１６７】
次に、ＭＰＥＧ２デコーダ１６０では、マルチプレクサ１５５からのビデオデータにデコード処理を施してスイッチ１６２の端子１を介してＮＴＳＣエンコーダ１６３に出力する。
【０１６８】
次に、ＮＴＳＣエンコーダ１６３では、ＭＰＥＧ２デコーダ１６０からのデジタルデータをＮＴＳＣ方式のビデオデータに変換する。そして、このＮＴＳＣエンコーダ１６３は、ＮＴＳＣ方式のビデオデータをＤ／Ａ変換回路１６４に出力する。
【０１６９】
次に、Ｄ／Ａ変換回路１６４では、ＮＴＳＣエンコーダ１６３からのビデオデータにＤ／Ａ変換処理を施してＮＴＳＣ方式のビデオ信号としてビデオ出力端子に出力する。
【０１７０】
また、マルチプレクサ１５５は、オーディオデータをＭＰＥＧ１デコーダ１６１に出力する。このＭＰＥＧ１デコーダ１６１では、マルチプレクサ１５５からのオーディオデータにデコード処理を施してＤ／Ａ変換回路１６５に出力する。
【０１７１】
次に、Ｄ／Ａ変換回路１６５では、ＭＰＥＧ１デコーダ１６１からのオーディオ信号にＤ／Ａ変換処理を施してオーディオ端子に出力する。
【０１７２】
したがって、この情報記録装置は、上述のように、ＭＰＥＧ方式で圧縮されたデジタルデータを記録するときにはＭＰＥＧ２デコーダ１６０でデコードして、ＭＰＥＧ２エンコーダ１５４で所定の圧縮率でハードディスクの論理セクタの整数倍となるようにエンコードして記録し、ＮＴＳＣ方式の信号が入力されたときにはＭＰＥＧ２エンコーダ１５４でエンコードして記録するので、記録されたデジタルデータの再生を行うときに例えばデータ転送ソフトウェアを用いてハードディスクのアドレス情報を指定するだけで記録されたデジタルデータの再生を行うことができ、容易にハードディスクにアクセスすることができる。したがって、このような情報記録装置では、例えば読出し速度を可変として再生を行うことが容易となり、様々な再生方式を採用することができる。
【０１７３】
なお、上述した情報記録装置においては、ＭＰＥＧ２エンコーダ１５４で圧縮処理を行うときにハードディスクの論理セクタの整数倍となるように圧縮を行う一例について説明したが、ＭＰＥＧ２エンコーダ１５４は複数の固定レートで圧縮処理を行ってもよい。すなわち、このＭＰＥＧ２エンコーダ１５４は、圧縮してハードディスクに記録したデジタルデータストリームを編集用として使用するときには８Ｍｂｐｓ，ＳＰ（Standard Play）として使用するときには４Ｍｂｐｓ，ＬＰ（Long Play）として使用するときには２Ｍｂｐｓとなるように圧縮処理を行っても良い。このとき、情報記録装置でハードディスクに記録されたデジタルデータストリームの再生を行うときには、例えばＲＩＳＣ ＣＰＵ３内にデータ転送ソフトウェアの制御により、読み込む容量を変化させて再生を行うことにより、上述と同様に再生を行うことができる。
【図面の簡単な説明】
【０１７４】
【図１】本発明を適用した情報記録装置の構成の一例を示すブロック図である。
【図２】本発明を適用した情報記録装置のＨＤＤの構成の一例を示すブロック図である。
【図３】本発明を適用した情報記録装置の実際の具体例の構成の一例を示すブロック図である。
【図４】本発明を適用した情報記録装置のＡＴＡアダプタの構成の一例を示すブロック図である。
【図５】本発明を適用した情報記録装置におけるデータの流れの一例を説明する図である。
【図６】本発明を適用した情報記録装置の２バンクＲＡＭにおけるデータ転送のタイミングを示す図である。
【図７】ＳＤ仕様のデータストリームを記録する上記ＨＤＤのフォーマットを示す図である。
【図８】高圧縮ＳＤ仕様のデータストリームを記録する上記ＨＤＤのフォーマットを示す図である。
【図９】ＨＤ仕様のデータストリームを記録する上記ＨＤＤのフォーマットを示す図である。
【図１０】本発明を適用した情報記録方法において再生を行う際の一連の工程を示すフローチャートである。
【図１１】本発明を適用した情報記録方法において録画を行う際の一連の工程を示すフローチャートである。
【図１２】ＧＯＰ単位のＭＰＥＧ信号を示す図である。
【図１３】本発明を適用した情報記録装置の他の一例を示すブロック図である。
【符号の説明】
【０１７５】
１ ＤＶビデオカメラ、２ インターフェイスバッファ、３ ＣＰＵ、６ ＨＤＤ
【図１】
2007109392.tif 000003
【図２】
2007109392.tif 000004
【図３】
2007109392.tif 000005
【図４】
2007109392.tif 000006
【図５】
2007109392.tif 000007
【図６】
2007109392.tif 000008
【図７】
2007109392.tif 000009
【図８】
2007109392.tif 000010
【図９】
2007109392.tif 000011
【図１０】
2007109392.tif 000012
【図１１】
2007109392.tif 000013
【図１２】
2007109392.tif 000014
【図１３】
2007109392.tif 000015
【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
論理セクタをアクセス単位とする記録媒体にデータを記録する情報記録装置であって、
動画像信号が入力される動画像信号入力部と、
上記動画像信号入力部より入力された上記動画像信号に対して圧縮符号化処理を施し、動画像データを出力する圧縮符号化手段と、
上記圧縮符号化手段により出力される上記動画像データを、上記記録媒体に記録するように制御する制御手段とを有し、
上記圧縮符号化手段は、複数の所定の圧縮率で上記圧縮符号化処理を施すことが可能であるとともに、上記圧縮符号化処理した上記動画像データにおいて、複数の画像フレームからなるＧＯＰ単位のデータが所定のデータ量以下となるように上記圧縮符号化処理を施し、
上記制御手段は、上記圧縮符号化された上記ＧＯＰ単位のデータを上記記録媒体において論理セクタの整数倍の記録領域に記録するように制御し、
上記記録領域の大きさは、上記所定の圧縮率に応じた大きさであることを特徴とする情報記録装置。
【請求項２】
上記所定の圧縮率で上記圧縮符号化を施すとは、上記圧縮符号化処理した上記動画像データが所定のビットレートになるように上記圧縮符号化処理を施すことを意味する
ことを特徴とする請求項１記載の情報記録装置。
【請求項３】
上記記録領域における先頭の論理セクタからデータを書き込むことを特徴とする請求項１記載の情報記録装置。
【請求項４】
上記圧縮符号化手段は、ＭＰＥＧ規格に準拠することを特徴とする請求項１記載の情報記録装置。
【請求項５】
論理セクタをアクセス単位とする記録媒体にデータを記録する情報記録方法であって、
動画像信号を入力するステップと、
入力された上記動画像信号に対して圧縮符号化処理を施すステップと、
上記圧縮符号化処理された上記動画像データを、上記記録媒体に記録するように制御する制御ステップとを有し、
上記圧縮符号化処理を施すステップは、複数の所定の圧縮率で上記圧縮符号化処理を施すことが可能であるとともに、上記圧縮符号化処理した上記動画像データにおいて、複数の画像フレームからなるＧＯＰ単位のデータを所定のデータ量以下となるように上記圧縮符号化処理を施し、
上記制御ステップは、上記圧縮符号化された上記ＧＯＰ単位のデータを、上記記録媒体において論理セクタの整数倍であって、上記所定の圧縮率に応じた記録領域に記録する
ことを特徴とする情報記録方法。
【請求項６】
上記所定の圧縮率で上記圧縮符号化処理を施すこととは、上記圧縮符号化処理した上記動画像データが所定のビットレートになるように上記圧縮符号化処理を施すことを意味する
ことを特徴とする請求項５記載の情報記録方法。
【手続補正３】
【補正対象書類名】明細書
【補正対象項目名】０００７
【補正方法】変更
【補正の内容】
【０００７】
この発明は、上述の実情に鑑みてなされるものであって、ＡＶデジタルデータストリーム等をＨＤＤに記録する際に変速再生に対応するような情報記録装置及び情報記録方法を提供することを目的とする。
【手続補正４】
【補正対象書類名】明細書
【補正対象項目名】０００８
【補正方法】変更
【補正の内容】
【０００８】
上述の課題を解決するために、本発明は、論理セクタをアクセス単位とする記録媒体にデータを記録する情報記録装置であって、動画像信号が入力される動画像信号入力部と、上記動画像信号入力部より入力された上記動画像信号に対して圧縮符号化処理を施し、動画像データを出力する圧縮符号化手段と、上記圧縮符号化手段により出力される上記動画像データを、上記記録媒体に記録するように制御する制御手段とを有し、上記圧縮符号化手段は、複数の所定の圧縮率で上記圧縮符号化処理を施すことが可能であるとともに、上記圧縮符号化処理した上記動画像データにおいて、複数の画像フレームからなるＧＯＰ単位のデータが所定のデータ量以下となるように上記圧縮符号化処理を施し、上記制御手段は、上記圧縮符号化された上記ＧＯＰ単位のデータを上記記録媒体において論理セクタの整数倍の記録領域に記録するように制御し、上記記録領域の大きさは、上記所定の圧縮率に応じた大きさであることを特徴とする。
【手続補正５】
【補正対象書類名】明細書
【補正対象項目名】０００９
【補正方法】変更
【補正の内容】
【０００９】
また、本発明は、論理セクタをアクセス単位とする記録媒体にデータを記録する情報記録方法であって、動画像信号を入力するステップと、入力された上記動画像信号に対して圧縮符号化処理を施すステップと、上記圧縮符号化処理された上記動画像データを、上記記録媒体に記録するように制御する制御ステップとを有し、上記圧縮符号化処理を施すステップは、複数の所定の圧縮率で上記圧縮符号化処理を施すことが可能であるとともに、上記圧縮符号化処理した上記動画像データにおいて、複数の画像フレームからなるＧＯＰ単位のデータを所定のデータ量以下となるように上記圧縮符号化処理を施し、上記制御ステップは、上記圧縮符号化された上記ＧＯＰ単位のデータを、上記記録媒体において論理セクタの整数倍であって、上記所定の圧縮率に応じた記録領域に記録することを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１２
【補正方法】変更
【補正の内容】
【００１２】
以下、この発明に係る情報記録装置及び情報記録方法について図面を参照して説明する。